(57)【特許請求の範囲】
【請求項１】
有底筒状に形成された容器本体と、
内容物の流出孔を備え、前記容器本体に装着されて該容器本体の開口を覆う隔壁部材と、
前記容器本体の内部に昇降可能に設けられ、前記隔壁部材との間に内容物の収容空間を区画形成する中皿と、
前記隔壁部材の上面に設けられ、内側部分が前記流出孔に連なるシリンダと、
内側に流入室を区画形成するとともに該流入室を外部に連通させる流入孔を備えた有底円筒状に形成され、前記シリンダの内側に昇降自在に収容されて前記隔壁部材との間に前記流出孔に連なる加圧室を区画形成するピストンガイドと、
前記ピストンガイドを上方に向けて付勢する付勢部材と、
前記隔壁部材に装着され、前記流出孔を覆って前記加圧室から前記収容空間に向けた内容物の流れを阻止するとともに前記収容空間から前記加圧室に向けた内容物の流れを許容する逆止弁と、
前記シリンダの内面に摺動可能に前記ピストンガイドに装着され、該ピストンガイドが下降すると前記流入孔を開き、前記ピストンガイドが上昇すると前記流入孔を閉じるピストンと、
前記ピストンガイドの上部に設けられ、前記流入室に連なる吐出孔が側面に開口する吐出ヘッドと、
前記吐出ヘッドが配置される貫通孔が開口する受皿面を備え、前記貫通孔の開口が前記吐出ヘッドで閉塞される閉位置と前記吐出孔が外部に開放される開位置との間で前記吐出ヘッドに沿って昇降自在の受皿本体と、前記受皿本体に一体に設けられ、該受皿本体が前記開位置にまで下降したときに前記ピストンガイドに上方から当接する押下げ部とを備える受皿部材と、
弾性体により形成され、前記吐出ヘッドに装着されて該吐出ヘッドの側面と前記受皿本体との間に配置されるシール部材とを有し、
前記受皿本体を前記開位置にまで押し下げて前記吐出孔を外部に開放した後、さらに前記受皿本体を押し下げることによって前記押下げ部により前記ピストンガイドを下降させて前記吐出孔から内容物を吐出させることを特徴とする受皿付きポンプ容器。
【請求項２】
前記シール部材が、前記吐出ヘッドの側面に装着されて前記吐出孔を閉塞する閉塞位置と前記吐出孔を開く開放位置との間で上下方向に移動自在のシール本体と、該シール本体と一体に形成され、前記ピストンガイドに支持されて前記シール本体を前記開放位置から前記閉塞位置に向けて付勢する付勢部とを備え、
前記受皿本体が、前記シール本体に上方から係合する係合部を備え、
前記受皿本体が前記開位置にまで下降したときに前記シール本体が前記係合部に押されて前記開放位置となる、請求項１に記載の受皿付きポンプ容器。
【請求項３】
前記シール本体が前記吐出ヘッドの側面を全周に亘って覆う環状に形成され、前記付勢部が前記シール本体よりも薄肉の円筒状に形成されている、請求項２に記載の受皿付きポンプ容器。
【請求項４】
前記シール部材が、前記吐出ヘッドの前記吐出孔よりも下方側における側面に装着される環状筒部と、前記環状筒部から径方向外側に向けて突出して前記貫通孔の内面に当接する環状リップ部とを備える、請求項１に記載の受皿付きポンプ容器。
【請求項５】
前記ピストンガイドに該ピストンガイドに対して径方向外側に向けて突出するフランジ部材が設けられ、該フランジ部材と前記隔壁部材との間に前記付勢部材が設けられている、請求項１〜４の何れか１項に記載の受皿付きポンプ容器。
【請求項６】
前記フランジ部材に前記受皿部材を上方に向けて付勢する板ばねが一体に設けられている、請求項５に記載の受皿付きポンプ容器。
【請求項７】
前記フランジ部材と前記受皿本体との間に前記受皿部材を上方に向けて付勢するスプリングが配置されている、請求項５に記載の受皿付きポンプ容器。
【請求項８】
前記吐出ヘッドの上端が前記受皿面よりも下方に配置され、前記受皿本体が前記開位置にまで下降しても前記吐出ヘッドの上端が前記受皿面よりも上方に突出しない、請求項１〜７の何れか１項に記載の受皿付きポンプ容器。
【請求項９】
前記受皿部材の貫通孔がテーパ状に形成され、前記吐出ヘッドの上端が前記貫通孔に対応したテーパ状に形成されている、請求項１〜８の何れか１項に記載の受皿付きポンプ容器。
【発明の詳細な説明】
【技術分野】
【０００１】
本発明は、容器本体に収容された内容物を受皿部材の受皿面に吐出する受皿付きポンプ容器に関する。
【背景技術】
【０００２】
従来から、例えばクレンジングクリーム等の比較的粘度の高い内容物を収容する容器としては、吐出された内容物をスポンジ等にとって使用し易いことから、受皿部材を押し下げ操作することにより容器本体に収容された内容物を受皿部材に開口する吐出孔から当該受皿部材に向けて吐出させることができる受皿付きポンプ容器が多く用いられている（例えば特許文献１参照）。
【先行技術文献】
【特許文献】
【０００３】
【特許文献１】特許第４１１２１６３号公報
【発明の概要】
【発明が解決しようとする課題】
【０００４】
しかしながら、上記従来の受皿付きポンプ容器は、吐出孔が常に受皿部材に開口し、オーバーキャップが閉じられることで閉塞される構成となっているので、吐出孔から空気が流入し易いものであった。そのため、例えば空気に触れることによって固化し易い内容物を収容すると内容物の吐出不良を生じるおそれがあり、また、空気に触れることで効能が薄れる内容物を収容すると当該内容物の劣化を生じるおそれがあるなどの問題点があった。
【０００５】
本発明は、このような問題点を解決することを課題とするものであり、その目的は、吐出孔からの空気の流入を確実に防止して内容物を空気に触れさせることなく収容することができる受皿付きポンプ容器を提供することにある。
【課題を解決するための手段】
【０００６】
本発明の受皿付きポンプ容器は、有底筒状に形成された容器本体と、内容物の流出孔を備え、前記容器本体に装着されて該容器本体の開口を覆う隔壁部材と、前記容器本体の内部に昇降可能に設けられ、前記隔壁部材との間に内容物の収容空間を区画形成する中皿と、前記隔壁部材の上面に設けられ、内側部分が前記流出孔に連なるシリンダと、内側に流入室を区画形成するとともに該流入室を外部に連通させる流入孔を備えた有底円筒状に形成され、前記シリンダの内側に昇降自在に収容されて前記隔壁部材との間に前記流出孔に連なる加圧室を区画形成するピストンガイドと、前記ピストンガイドを上方に向けて付勢する付勢部材と、前記隔壁部材に装着され、前記流出孔を覆って前記加圧室から前記収容空間に向けた内容物の流れを阻止するとともに前記収容空間から前記加圧室に向けた内容物の流れを許容する逆止弁と、前記シリンダの内面に摺動可能に前記ピストンガイドに装着され、該ピストンガイドが下降すると前記流入孔を開き、前記ピストンガイドが上昇すると前記流入孔を閉じるピストンと、前記ピストンガイドの上部に設けられ、前記流入室に連なる吐出孔が側面に開口する吐出ヘッドと、前記吐出ヘッドが配置される貫通孔が開口する受皿面を備え、前記貫通孔の開口が前記吐出ヘッドで閉塞される閉位置と前記吐出孔が外部に開放される開位置との間で前記吐出ヘッドに沿って昇降自在の受皿本体と、前記受皿本体に一体に設けられ、該受皿本体が前記開位置にまで下降したときに前記ピストンガイドに上方から当接する押下げ部とを備える受皿部材と、弾性体により形成され、前記吐出ヘッドに装着されて該吐出ヘッドの側面と前記受皿本体との間に配置されるシール部材とを有し、前記受皿本体を前記開位置にまで押し下げて前記吐出孔を外部に開放した後、さらに前記受皿本体を押し下げることによって前記押下げ部により前記ピストンガイドを下降させて前記吐出孔から内容物を吐出させることを特徴とする。
【０００７】
本発明の受皿付きポンプ容器は、上記構成において、前記シール部材が、前記吐出ヘッドの側面に装着されて前記吐出孔を閉塞する閉塞位置と前記吐出孔を開く開放位置との間で上下方向に移動自在のシール本体と、該シール本体と一体に形成され、前記ピストンガイドに支持されて前記シール本体を前記開放位置から前記閉塞位置に向けて付勢する付勢部とを備え、前記受皿本体が、前記シール本体に上方から係合する係合部を備え、前記受皿本体が前記開位置にまで下降したときに前記シール本体が前記係合部に押されて前記開放位置となるのが好ましい。
【０００８】
本発明の受皿付きポンプ容器は、上記構成において、前記シール本体が前記吐出ヘッドの側面を全周に亘って覆う環状に形成され、前記付勢部が前記シール本体よりも薄肉の円筒状に形成されているのが好ましい。
【０００９】
本発明の受皿付きポンプ容器は、上記構成において、前記シール部材が、前記吐出ヘッドの前記吐出孔よりも下方側における側面に装着される環状筒部と、前記環状筒部から径方向外側に向けて突出して前記貫通孔の内面に当接する環状リップ部とを備えるのが好ましい。
【００１０】
本発明の受皿付きポンプ容器は、上記構成において、前記ピストンガイドに該ピストンガイドに対して径方向外側に向けて突出するフランジ部材が設けられ、該フランジ部材と前記隔壁部材との間に前記付勢部材が設けられているのが好ましい。
【００１１】
本発明の受皿付きポンプ容器は、上記構成において、前記フランジ部材に前記受皿部材を上方に向けて付勢する板ばねが一体に設けられているのが好ましい。
【００１２】
本発明の受皿付きポンプ容器は、上記構成において、前記フランジ部材と前記受皿本体との間に前記受皿部材を上方に向けて付勢するスプリングが配置されているのが好ましい。
【００１３】
本発明の受皿付きポンプ容器は、上記構成において、前記吐出ヘッドの上端が前記受皿面よりも下方に配置され、前記シール本体が前記開放位置となる位置にまで前記受皿本体が下降しても前記吐出ヘッドの上端が前記受皿面よりも上方に突出しない構成とされるのが好ましい。
【００１４】
本発明の受皿付きポンプ容器は、上記構成において、前記受皿部材の貫通孔がテーパ状に形成され、前記吐出ヘッドの上端が前記貫通孔に対応したテーパ状に形成されているのが好ましい。
【発明の効果】
【００１５】
本発明によれば、不使用時には吐出孔が閉塞され、使用時には吐出孔が外部に開放された後、吐出孔から内容物が吐出されるようにしたので、不使用時における吐出孔からの空気の流入を確実に防止して、内容物を空気に触れさせることなく収容することができる。したがって、例えば空気に触れることによって固化し易い内容物や、空気に触れることで効能が薄れる内容物などを、吐出不良や内容物の劣化を生じさせることなく収容することができる。このように、本発明によれば、吐出孔からの空気の流入を確実に防止して内容物を空気に触れさせることなく収容することができる受皿付きポンプ容器を提供することができる。
【図面の簡単な説明】
【００１６】
【図１】本発明の一実施の形態である受皿付きポンプ容器の半断面図である。
【図２】図１示す受皿付きポンプ容器の要部を拡大して示す断面図である。
【図３】図２に示す受皿付きポンプ容器の、受皿本体が押し下げられて吐出孔が開放された状態の断面図である。
【図４】（ａ）は図１に示す受皿付きポンプ容器の変形例の断面図であり、（ｂ）は同図（ａ）におけるＡ−Ａ線に沿う断面図である。
【図５】図１に示す受皿付きポンプ容器の他の変形例の断面図である。
【図６】図５に示す受皿付きポンプ容器の、受皿本体が押し下げられて吐出孔が開放された状態の断面図である。
【図７】本発明の他の実施の形態である受皿付きポンプ容器の半断面図である。
【図８】図７示す受皿付きポンプ容器の要部を拡大して示す断面図である。
【図９】図７に示す受皿付きポンプ容器の、受皿本体が押し下げられて吐出孔が開放された状態の断面図である。
【発明を実施するための形態】
【００１７】
以下、図面を参照して、本発明をより詳細に例示説明する。
【００１８】
図１に示すように、本発明の一実施の形態である受皿付きポンプ容器１は容器本体２を備えている。容器本体２は、底部２ａと、底部２ａの外周縁から上方に延びる筒状の側壁部２ｂとを備えた有底筒状に形成され、その上端が開口している。図示する場合では、容器本体２は樹脂材料により有底円筒状のジャー（広口瓶）形状に形成されている。なお、容器本体２は樹脂製に限らず、ガラス製や金属製とすることもできる。容器本体２の底部２ａには、外気取り込み用の通気孔２ｃが設けられている。
【００１９】
容器本体２には、例えば樹脂製とされる隔壁部材３が装着され、容器本体２の開口はこの隔壁部材３によって覆われている。図２に示すように、隔壁部材３は略円板状の隔壁本体３ａと、隔壁本体３ａの外周縁から上方に延びる円筒状の装着筒部３ｂとを有し、装着筒部３ｂから突出する段部３ｃが容器本体２の側壁部２ｂの上端に当接して容器本体２に装着されている。なお、段部３ｃと側壁部２ｂの上端との間には内容物の漏れ出しを防止する環状シール４を装着するのが好ましい。装着筒部３ｂの上端側は固定部材５のＵ字状部５ａに嵌合固定されており、固定部材５が雌ねじ部５ｂにおいて容器本体２の側壁部２ｂに設けられた雄ねじ部２ｄにねじ結合することにより、隔壁部材３は容器本体２に固定されている。
【００２０】
隔壁本体３ａの軸心には、この隔壁本体３ａを表裏（上下）に貫通するように内容物の流出孔３ｄが設けられている。
【００２１】
図１に示すように、容器本体２の内部には、例えば樹脂製とされる中皿６が設けられている。中皿６は外形略円盤状に形成されており、その外周縁には容器本体２の側壁部２ｂの内周面に全周に亘って当接するシール部６ａが一体に設けられている。中皿６はシール部６ａが側壁部２ｂの内周面に対して摺動することで容器本体２の内部で上下方向に移動自在つまり昇降可能となっている。容器本体２の内部の隔壁部材３と中皿６との間に区画形成される部分は収容空間７となっており、容器本体２はこの収容空間７に内容物を収容するようになっている。この収容空間７は、中皿６が昇降することにより、その容積が増減される。
【００２２】
容器本体２の収容空間７に収容される内容物は、例えばクレンジングクリーム等のクリーム状の化粧料やゲル状の化粧料など、比較的粘度の高い内容物とするのが好ましい。
【００２３】
図２に示すように、隔壁部材３の上面にはシリンダ１０が設けられている。シリンダ１０は円筒状に形成され、円形に形成された流出孔３ｄと同軸に配置されて当該流出孔３ｄを囲っている。つまり、シリンダ１０の内側部分の空間は流出孔３ｄに連なっている。なお、図示する場合では、シリンダ１０は隔壁部材３と一体に形成されているが、シリンダ１０を隔壁部材３とは別体に形成されて隔壁部材３に固定される構成とすることもできる。
【００２４】
シリンダ１０の内側には、例えば樹脂製とされるピストンガイド１１が昇降自在に収容されている。このピストンガイド１１はシリンダ１０と協働して容器本体２の収容空間７から内容物を吸引して外部に吐出させるためのポンプとして機能する。図２に示すように、ピストンガイド１１は円板状の加圧壁部１１ａと、加圧壁部１１ａの外周縁から少し径方向内側の部分から上方に向けて延びる側壁部１１ｂとを備えた有底円筒状に形成されている。このようなピストンガイド１１がシリンダ１０に配置されることにより、ピストンガイド１１の加圧壁部１１ａと隔壁部材３の隔壁本体３ａとの間には、流出孔３ｄに連なる加圧室１２が区画形成されている。
【００２５】
ピストンガイド１１の内側は、当該ピストンガイド１１により区画形成された流入室１３となっている。また、ピストンガイド１１の側壁部１１ｂには、流入室１３を当該ピストンガイド１１の外部つまり加圧室１２に連通させる流入孔１１ｃが設けられている。
【００２６】
ピストンガイド１１には、例えば樹脂製とされるフランジ部材１４が設けられている。図２に示すように、フランジ部材１４は、ピストンガイド１１の上端に嵌合固定される固定部１４ａと、固定部１４ａからピストンガイド１１に対して径方向外側に向けて突出するフランジ本体部１４ｂとを備えており、フランジ本体部１４ｂの外周縁は下方に向けて折り曲げられている。
【００２７】
隔壁本体３ａの上面とフランジ本体部１４ｂの下面との間には付勢部材１５が設けられている。本実施の形態においては、付勢部材１５は圧縮コイルばねとなっており、付勢部材１５の弾性力はフランジ部材１４を介してピストンガイド１１に伝達されるようになっている。つまり、ピストンガイド１１は、付勢部材１５により上方に向けて付勢されている。隔壁本体３ａの上面にはシリンダ１０よりも外周側に当該シリンダ１０と同軸に円筒状の支持筒部１６が一体に設けられ、付勢部材１５の下端側はこの支持筒部１６の外側に装着されて当該支持筒部１６により径方向位置が規定されている。
【００２８】
なお、図示する場合では、付勢部材１５を、ピストンガイド１１に固定されたフランジ部材１４と隔壁本体３ａとの間に設けるようにしているが、ピストンガイド１１を上方に向けて付勢することができれば、例えば隔壁本体３ａとピストンガイド１１との間に設け、ピストンガイド１１に固定された他の部材と隔壁本体３ａとの間に設け、あるいはピストンガイド１１と隔壁部材３に支持される他の部材との間に設けるなど、種々の構成を採用することができる。また、付勢部材１５は圧縮コイルばねに限らず、隔壁部材３とピストンガイド１１との間に設けられてピストンガイド１１を上方に付勢することができるものであれば、板ばねやゴム等の弾性体など種々の構成のものを用いることができる。
【００２９】
隔壁部材３には流出孔３ｄを開閉する逆止弁２０が装着されている。この逆止弁２０は樹脂製となっており、図２に示すように、シリンダ１０の内面に嵌合固定される環状の基部２０ａと、この基部２０ａに弾性変形可能な複数の連結片２０ｂを介して連結される円板状の弁体２０ｃとを備えている。例えば、逆止弁２０は、３本のクランク状の連結片２０ｂによって弁体２０ｃが基部２０ａに連結された３点弁に構成することができる。通常状態（内容物を吐出させる吐出動作が行われていない状態）においては、逆止弁２０は、弁体２０ｃが隔壁本体３ａの上面側から流出孔３ｄを覆って当該流出孔３ｄを閉塞し、加圧室１２から収容空間７に向けた内容物の流れを阻止している。一方、逆止弁２０は、収容空間７から１２加圧室に向けた内容物の流れに対しては、連結片２０ｂの変形により弁体２０ｃが隔壁本体３ａの上面に対して上方に移動して流出孔３ｄを開き、当該内容物の流れを許容する。
【００３０】
ピストンガイド１１にはピストン２１が装着されている。このピストン２１はシリンダ１０の内面に対して摺動可能となっており、ピストンガイド１１により案内されて、ピストンガイド１１が下降すると流入孔１１ｃを開き、ピストンガイド１１が上昇すると流入孔１１ｃを閉じるように作動する。より具体的には、図２に示すように、ピストン２１は弾性体により断面Ｈ形状のシール体に形成されており、その外周側においてシリンダ１０の内面に摺接するとともに、ピストンガイド１１の加圧壁部１１ａとフランジ部材１４の固定部１４ａの下端との間でピストンガイド１１に対して上下方向に移動自在となっている。そして、ピストンガイド１１が下降すると、ピストン２１は加圧壁部１１ａに対して上方に移動して流入孔１１ｃを開き、当該流入孔１１ｃを介して流入室１３を加圧室１２に連通させる。一方、ピストンガイド１１が上昇すると、ピストン２１は加圧壁部１１ａに当接して流入孔１１ｃを閉じ、流入室１３と加圧室１２との間の連通を遮断する。なお、符号２２はシリンダ１０と支持筒部１６との間に嵌合固定されてピストン２１の上側の移動ストローク端を規制する規制部材である。
【００３１】
ピストンガイド１１の上部には、流入室１３に流入した内容物を外部に吐出するための吐出ヘッド３０が設けられている。図２に示すように、吐出ヘッド３０は例えば樹脂製とされ、フランジ部材１４の固定部１４ａを挟んでピストンガイド１１の上部に嵌合固定される円筒状の吐出壁３０ａと、吐出壁３０ａの上端に設けられる円形の天壁３０ｂとを備えている。天壁３０ｂは吐出壁３０ａよりも僅かに大径に形成されている。吐出壁３０ａの側面には当該吐出壁３０ａを貫通するとともに流入室１３に連なる吐出孔３０ｃが設けられている。図１、図２では１つの吐出孔３０ｃのみが示されるが、吐出壁３０ａの外周面に複数の吐出孔３０ｃを設けられている。
【００３２】
吐出ヘッド３０にはゴムやエラストマー等の弾性体により形成されたシール部材３１が装着されている。本実施の形態においては、図２に示すように、シール部材３１は、シール本体３１ａと付勢部３１ｂとを備えた構成とされている。シール本体３１ａは、吐出ヘッド３０の吐出壁３０ａの側面に当該側面に密着するように装着されて吐出孔３０ｃを閉塞可能となっている。図示する場合では、シール本体３１ａは、吐出ヘッド３０の吐出壁３０ａの側面を全周に亘って覆う環状に形成されるとともに断面形状が矩形形状に形成され、吐出壁３０ａの側面を締め付けるように装着されている。また、シール本体３１ａは、吐出孔３０ｃを閉塞する閉塞位置（図２に示す位置）と、吐出孔３０ｃに対して下方に移動して当該吐出孔３０ｃを開く開放位置（図３に示す位置）との間で、吐出壁３０ａの軸方向に沿って上下方向に移動自在となっている。
【００３３】
また、シール部材３１は、シール本体３１ａと一体に形成される付勢部３１ｂを備えている。図２に示すように、付勢部３１ｂは、シール本体３１ａよりも厚みが薄い薄肉の円筒状に形成されており、シール本体３１ａの下端外周縁から下方に向けて延び、その下端においてフランジ部材１４の固定部１４ａの上面に当接している。つまり、付勢部３１ｂは、その下端においてフランジ部材１４を介してピストンガイド１１に支持されている。図３に示すように、付勢部３１ｂはシール本体３１ａが閉塞位置から開放位置に移動すると弾性変形して、シール本体３１ａを開放位置から閉塞位置に向けて付勢する。なお、付勢部３１ｂがシール本体３１ａを開放位置から閉塞位置に向けて付勢する弾性力は、付勢部材１５がフランジ部材１４ないしピストンガイド１１を上方に向けて付勢する弾性力よりも小さく設定されている。
【００３４】
吐出ヘッド３０には、吐出孔３０ｃから吐出された内容物を受ける樹脂製の受皿部材４０が装着されている。図２に示すように、受皿部材４０は上面が受皿面４１ａとなる受皿本体４１を備えており、この受皿本体４１には受皿面４１ａに開口するとともに吐出ヘッド３０の天壁３０ｂが内側に配置される貫通孔４１ｂが設けられている。
【００３５】
受皿本体４１の外周縁には下方に向けて延びる円筒状のガイド壁４２が一体に設けられるとともにガイド壁４２の内側に該ガイド壁４２と同軸に副ガイド壁４３が一体に設けられている。ガイド壁４２の外周面は固定部材５のＵ字状部５ａの内周面に摺接可能となっており、また、副ガイド壁４３の内周面はフランジ本体部１４ｂの外周縁に摺接可能となっており、これにより受皿部材４０は吐出ヘッド３０に沿って上下方向に移動自在つまり昇降自在となっている。なお、ガイド壁４２の下端には径方向外側に向けて突出する係止突起４２ａが一体に設けられ、この係止突起４２ａが固定部材５のＵ字状部５ａの下端に係合することにより受皿部材４０の抜け出しが防止されるようになっている。
【００３６】
受皿本体４１には係合部４４が一体に設けられている。図２に示すように、この係合部４４は受皿本体４１の内周端の側における下面で構成されており、シール本体３１ａの上面に上方から係合している。また、受皿本体４１の下面には、シール本体３１ａの背面に当接してシール本体３１ａを支持する支持壁４５が一体に形成されている。つまり、シール部材３１は吐出ヘッド３０の側面と受皿本体４１の支持壁４５との間に配置されている。
【００３７】
このような構成により、図２に示す通常状態つまり受皿本体４１が閉位置にある状態においては、吐出ヘッド３０の天壁３０ｂが貫通孔４１ｂの開口の内側に配置されて貫通孔４１ｂの開口が閉塞されるとともに閉塞位置にあるシール本体３１ａにより吐出孔３０ｃが閉塞され、吐出孔３０ｃから空気が流入することが防止される。
【００３８】
一方、図２に示す状態から受皿部材４０の受皿本体４１を下方に向けて押し下げ操作して開位置にまで移動させることで、図３に示すように、受皿本体４１とともにシール本体３１ａを閉塞位置から開放位置にまで移動させるとともに貫通孔４１ｂの開口を開いて吐出孔３０ｃを外部に開放することができる。なお、吐出孔３０ｃを外部に開放した状態においては、シール部材３１のシール本体３１ａにより吐出ヘッド３０と支持壁４５との間が密封され、吐出ヘッド３０と支持壁４５との間から下方に向けた内容物の漏れ出しが防止される。
【００３９】
また、受皿本体４１には押下げ部４６が一体に設けられている。図２に示すように、押下げ部４６は、受皿本体４１の下面の支持壁４５の外側に隣接した部分に段差状に設けられている。この押下げ部４６は、図３に示すように、受皿本体４１が開位置にまで下降したとき、つまりシール本体３１ａが開放位置となる位置にまで受皿本体４１が下降したときにフランジ部材１４に一体に設けられた当接壁４７に上方から当接して受皿本体４１に加えられる押し下げ力をフランジ部材１４を介してピストンガイド１１に伝達する。なお、図示する場合には、ピストンガイド１１に設けられた当接壁４７に押下げ部４６を当接させて受皿本体４１の押し下げ力をフランジ部材１４を介してピストンガイド１１に伝達させるようにしているが、押下げ部４６をピストンガイド１１に直接当接させる構成とすることもできる。
【００４０】
図１に示すように、容器本体２には受皿部材４０や吐出ヘッド３０を覆うキャップＣを取り付けることができる。このキャップＣは、例えばＵ字状部５ａの外周面にアンダーカット係合することにより容器本体２に着脱自在に取り付けられる構成とすることができるが、ねじ結合等の他の手段によって容器本体２に着脱自在に装着される構成とすることもできる。
【００４１】
このような構成の受皿付きポンプ容器１では、通常状態においては、吐出ヘッド３０は受皿本体４１の貫通孔４１ｂの内部に収容されて貫通孔４１ｂの開口を閉塞しており、また、吐出ヘッド３０に設けられる吐出孔３０ｃはシール部材３１のシール本体３１ａによって閉塞されている。この状態から、受皿本体４１を下方に押し下げ操作することにより、吐出孔３０ｃを外部に開放するとともにピストンガイド１１を作動させ、当該ピストンガイド１１、シリンダ１０及びピストン２１によるポンプ動作により、容器本体２の収容空間７に収容されている内容物を吐出孔３０ｃから受皿本体４１の受皿面４１ａに吐出させることができる。このとき、シール本体３１ａとともに受皿本体４１を上方に付勢する付勢部３１ｂの弾性力が、ピストンガイド１１を上方に向けて付勢する付勢部材１５の弾性力よりも小さく設定されているので、受皿本体４１を押し下げ操作すると、まず受皿本体４１が閉位置から開位置に向けて下方に移動し、次いで、押下げ部４６が当接壁４７に当接してピストンガイド１１が受皿本体４１とともに押し下げられることになる。
【００４２】
より具体的に説明すると、まず、受皿本体４１が使用者等によって開位置にまで押し下げ操作されると、その押し下げ力が係合部４４からシール本体３１ａに伝達され、シール本体３１ａが受皿本体４１とともに付勢部３１ｂの弾性力に抗して図１、図２に示す閉塞位置から図３に示す開放位置にまで押し下げられて吐出孔３０ｃが開かれる。このとき、受皿本体４１は吐出ヘッド３０の天壁３０ｂに対して下方に移動しているので、吐出孔３０ｃは貫通孔４１ｂを介して外部つまり受皿面４１ａに向けて開放された状態となる。
【００４３】
次に、図３に示すように吐出孔３０ｃが開放された後、さらに受皿本体４１を下方に向けて押し下げ操作すると、受皿本体４１に設けられた押下げ部４６が当接壁４７に当接して、受皿本体４１の押し下げ力がフランジ部材１４を介してピストンガイド１１に伝達される。これにより、ピストンガイド１１が受皿本体４１とともに下降してポンプ動作が開始される。
【００４４】
通常状態では逆止弁２０は閉状態となっているので、ピストンガイド１１が下降してポンプ動作が開始されると、加圧室１２の内部がピストンガイド１１によって加圧されるとともにピストンガイド１１に装着されたピストン２１が上方に移動して流入孔１１ｃが開かれる。そして、さらにピストンガイド１１が下降すると、加圧室１２の内部の加圧された内容物が流入孔１１ｃからピストンガイド１１の内側の流入室１３に流入し、当該流入室１３を通って吐出ヘッド３０の内部に供給され、吐出孔３０ｃから受皿面４１ａに向けて吐出される。
【００４５】
このように、受皿本体４１を下方に向けて押し下げ操作することにより、吐出孔３０ｃを外部に開放し、その後、受皿本体４１をさらに下方に向けて押し下げ操作することによりピストンガイド１１を作動させて吐出孔３０ｃから受皿本体４１の受皿面４１ａに内容物を吐出させることができる。受皿面４１ａに吐出された内容物は、例えばスポンジ等で拭い取って使用することができる。なお、内容物をスポンジで拭い取る場合には、スポンジを受皿面４１ａに向けて押し付けることで受皿本体４１を押し下げ操作することにより、吐出孔３０ｃから吐出された内容物を容易にスポンジに付着させて内容物の取り出しを容易に行うことができる。また、内容物は吐出孔３０ｃから吐出ヘッド３０と貫通孔４１ｂとの間の環状の隙間を介して受皿面４１ａにリング状に吐出されるので、内容物をスポンジの広範囲に付着させて内容物の取り出しをさらに容易にすることができる。
【００４６】
吐出孔３０ｃから内容物が吐出された後、受皿本体４１の押し下げ操作が解除されると、付勢部３１ｂの弾性力によってシール本体３１ａが受皿本体４１とともに吐出孔３０ｃを閉じる閉塞位置にまで上方に移動する。したがって、内容物の吐出操作が終了すると、吐出孔３０ｃは自動的にシール本体３１ａによって閉塞された状態とされる。また、シール本体３１ａが閉塞位置にまで上方に移動すると、受皿本体４１がシール本体３１ａにより上方に向けて押されて閉位置にまで移動し、貫通孔４１ｂの開口が閉塞される。
【００４７】
一方、受皿本体４１の押し下げ操作が解除されると、付勢部材１５の弾性力によりピストンガイド１１が図１に示す初期位置に向けて上方に移動する。このとき、ピストン２１により流入孔１１ｃが閉じられた状態でピストンガイド１１が上昇することになるので、加圧室１２が負圧となって逆止弁２０が開かれ、容器本体２の収容空間７に収容されている内容物が流出孔３ｄから加圧室１２内に向けて流出して加圧室１２に供給される。また、収容空間７から内容物が流出するのに伴って中皿６が容器本体２の内部で上昇し、収容空間７は常に内容物により満たされた状態に維持される。このとき、中皿６が移動した分だけ、通気孔２ｃから容器本体２の中皿６の下方側部分に外気が導入される。したがって、内容物を吐出しても、容器本体２の収容空間７に空気が流入することがなく、常に、受皿本体４１の押し下げ操作によってピストンガイド１１を効率良くポンプ動作させて内容物を効率良く吐出させることができる。なお、シール本体３１ａとともに受皿本体４１を上方に付勢する付勢部３１ｂの弾性力が、ピストンガイド１１を上方に向けて付勢する付勢部材１５の弾性力よりも小さく設定されていることから、吐出孔３０ｃから内容物が吐出された後、受皿本体４１の押し下げ操作が解除されると、まず付勢部材１５の弾性力によりピストンガイド１１が図１に示す初期位置に向けて上方に移動して内容物が加圧室１２に供給され、次いで、受皿本体４１が付勢部３１ｂの弾性力により開位置から閉位置に向けて上方に移動して貫通孔４１ｂの開口が閉塞されることになる。
【００４８】
このように、本発明の受皿付きポンプ容器１では、通常状態においては、吐出ヘッド３０により貫通孔４１ｂを閉塞した状態としておき、内容物を吐出するために受皿本体４１が押し下げ操作されたときに吐出孔３０ｃを自動的に開放させてから内容物を吐出させるようにしたので、不使用時に吐出孔３０ｃから空気が流入することを確実に防止して、内容物を空気に触れさせることなく収容することができる。これにより、例えば空気に触れることによって固化し易い内容物や、空気に触れることで効能が薄れる内容物などを、吐出不良や内容物の劣化を生じさせることなく、この受皿付きポンプ容器１に収容することができる。
【００４９】
また、本実施の形態のポンプ容器１では、通常状態においては、吐出孔３０ｃをシール本体３１ａによって確実に閉塞した状態としておき、内容物を吐出するために受皿本体４１が押し下げ操作されたときにシール本体３１ａを受皿本体４１によって閉塞位置から開放位置にまで押し下げて吐出孔３０ｃを自動的に開放させるようにしたので、シール本体３１ａによって不使用時に吐出孔３０ｃから空気が流入することをより確実に防止して、内容物を空気に触れさせることなく収容することができる。
【００５０】
さらに、本実施の形態のポンプ容器１では、シール本体３１ａを吐出壁３０ａの側面を全周に亘って覆う環状に形成し、シール本体３１ａで吐出壁３０ａの側面を締め付けることで当該シール本体３１ａを吐出壁３０ａの側面に密着させるようにしたので、シール本体３１ａによって吐出孔３０ｃをさらに確実に閉塞することができる。これにより、吐出孔３０ｃからの空気の流入をさらに確実に防止することができる。
【００５１】
さらに、本実施の形態のポンプ容器１では、シール部材３１はシール本体３１ａに当該シール本体３１ａを開放位置から閉塞位置に付勢する付勢部３１ｂが一体に設けられた構成とされているので、シール本体３１ａを付勢する部材を他に設けることを不要として、受皿付きポンプ容器１の部品点数を減らし、当該コストの低減を図ることができる。
【００５２】
さらに、本実施の形態のポンプ容器１では、付勢部３１ｂを円筒状（スカート状）に形成したことにより、開放位置にまで移動したシール本体３１ａにより大きな弾性力を加えることができる。したがって、開放位置にまで移動したシール本体３１ａを確実に閉塞位置にまで移動させて、吐出孔３０ｃからの空気の流入をさらに確実に防止することができる。
【００５３】
付勢部３１ｂの弾性力によるシール本体３１ａの閉塞位置への移動を補助するために、図４（ａ）、（ｂ）に示すように、フランジ部材１４に板ばね５０を一体に設けることもできる。この板ばね５０は、フランジ本体部１４ｂから周方向に向けて延びつつ上方に突出しており、その先端において受皿本体４１の下面に当接している。このような板ばね５０を設けることにより、受皿本体４１を上方に移動させるための弾性力を板ばね５０により補助することにより、付勢部３１ｂによりシール本体３１ａをより確実に開放位置から閉塞位置にまで移動させることができるようにして、吐出孔３０ｃからの空気の流入をさらに確実に防止することができる。なお、フランジ部材１４に板ばね５０を一体に設けた場合には、板ばね５０の弾性力と付勢部３１ｂの弾性力とを合計した弾性力が、付勢部材１５の弾性力よりも小さくなるように設定される。
【００５４】
図５は図１に示す受皿付きポンプ容器１の他の変形例の断面図であり、図６は図５に示す受皿付きポンプ容器１の、受皿部材４０が押し下げられて吐出孔３０ｃが開放された状態の断面図である。なお、図５、図６においては、前述した部材に対応する部材には同一の符号を付してある。
【００５５】
図５に示す他の変形例の受皿付きポンプ容器１では、通常状態において吐出ヘッド３０の天壁３０ｂの上端が受皿本体４１の受皿面４ａよりも下方に配置されるとともに、図６に示すように、シール本体３１ａが開放位置となる開位置にまで受皿本体４１が下降しても、吐出ヘッド３０の天壁３０ｂの上端が受皿面４１ａよりも上方に突出しない構成としている。
【００５６】
この変形例の構成においては、受皿部材４０の受皿本体４１に設けられる貫通孔４１ｂの内周面は、下方側よりも上方側が大径となるテーパ状に形成され、吐出ヘッド３０の上端つまり天壁３０ｂの外周面が貫通孔４１ｂに対応したテーパ状に形成されるのが好ましい。このような構成とすることにより、吐出ヘッド３０の天壁３０ｂが受皿本体４１の受皿面４１ａよりも上方に突出しない構成としても、貫通孔４１ｂと天壁３０ｂとの間に十分な隙間を生じさせて、当該隙間を介して吐出孔３０ｃを受皿面４１ａに向けて確実に開放することができる。
【００５７】
図７は本発明の他の実施の形態である受皿付きポンプ容器の断面図であり、図８は図７示す受皿付きポンプ容器の要部を拡大して示す断面図であり、図９は図７に示す受皿付きポンプ容器の、受皿部材が押し下げられて吐出孔が開放された状態の断面図である。
【００５８】
図７〜図９に示す受皿付きポンプ容器１０１は、図１〜図６に示す受皿付きポンプ１に対して、受皿部材４０およびシール部材３１の構成が相違するものである。図７に示すように、この受皿付きポンプ容器１０１のその他の構成は、基本的に図１〜図６に示す受皿付きポンプ１の構成と同様であるので、図７〜図９においては、前述した部材に対応する部材には同一の符号を付し、上記相違点以外の部分の再度の説明は省略する。
【００５９】
図８に示すように、受皿付きポンプ容器１０１では、受皿部材４０の受皿本体４１には、受皿面４１ａと支持壁４５との間つまり貫通孔４１ｂの周縁に沿って段差面１０２が設けられている。この段差面１０２は吐出ヘッド３０の軸方向つまり受皿本体４１の昇降方向に対して略垂直であるとともに上方に向けられている。そして、通常状態においては、吐出ヘッド３０の天壁３０ｂが、その吐出壁３０ａよりも径方向外側に突出する外周縁部分の下面３０ｄにおいて段差面１０２に当接することにより、受皿本体４１の貫通孔４１ｂの開口が吐出ヘッド３０により閉塞されるようになっている。なお、吐出ヘッド３０の天壁３０ｂの下面３０ｄは、当該天壁３０ｂの吐出壁３０ａよりも径方向外側に突出する外周縁部分の下側に、内側部分よりも上方に向けて凹む段差状に設けられている。
【００６０】
また、この受皿付きポンプ容器１０１では、シール部材３１は、吐出ヘッド３０の吐出孔３０ｃよりも下方側における側面に装着される環状筒部１０３と、この環状筒部１０３の上端部分から径方向外側に向けて突出して貫通孔４１ｂの内面に当接する環状リップ部１０４とを備えた構成とされる。なお、図示する場合では、受皿本体４１の貫通孔４１ｂは支持壁４５の内側に設けられているので、シール部材３１の環状リップ部１０４は支持壁４５の内周面に当接するように構成されている。なお、環状リップ部１０４は、支持壁４５の内周面に対して径方向外側に付勢された状態で弾性的に当接するとともに支持壁４５に対して摺動自在となっている。このような構成により、吐出ヘッド３０の側面と支持壁４５の内周面との間が吐出孔３０ｃよりも下方側においてシール部材３１によって液密に密封されるとともに、当該密封状態を保持しながら受皿本体４１が吐出ヘッド３０に対して昇降することができるようになっている。
【００６１】
上記のように、本実施形態における受皿付きポンプ容器１０１では、シール部材３１に付勢部３１ｂが設けられないため、受皿部材４０を上方に向けて付勢する部材が必要である。そのため、本実施の形態においては、フランジ部材１４と受皿本体４１との間にスプリング１０５を設け、このスプリング１０５により受皿部材４０を開位置から閉位置に向けて上方に付勢するようにしている。なお、スプリング１０５が受皿本体４１を開位置から閉位置に向けて付勢する弾性力は、付勢部材１５がフランジ部材１４ないしピストンガイド１１を上方に向けて付勢する弾性力よりも小さく設定されている。これにより、本実施の形態においても、受皿本体４１を押し下げ操作すると、まず受皿本体４１が閉位置から開位置に向けて下方に移動し、次いで、押下げ部４６が当接壁４７に当接してピストンガイド１１が受皿本体４１とともに押し下げられることになり、また、受皿本体４１の押し下げ操作が解除されると、まず付勢部材１５の弾性力によりピストンガイド１１が図８に示す初期位置に向けて上方に移動して内容物が加圧室１２に供給された後、受皿本体４１がスプリング１０５の弾性力により開位置から閉位置に向けて上方に移動して貫通孔４１ｂの開口が閉塞されることになる。
【００６２】
なお、受皿部材４０を閉位置に向けて上方に付勢する手段としては、上記したスプリング１０５に限らず、例えば図４に示すのと同様の板ばね５０をフランジ部材１４に設けるなど、他の手段を用いるようにしてもよい。この場合においても、受皿本体４１を開位置から閉位置に向けて付勢する弾性力は、付勢部材１５がフランジ部材１４ないしピストンガイド１１を上方に向けて付勢する弾性力よりも小さく設定される。
【００６３】
このような構成の受皿付きポンプ容器１０１においても、図７、図８に示すように、通常状態においては、受皿本体４１の貫通孔４１ｂが閉塞されて吐出ヘッド３０の貫通孔４１ｂは外部に開放されず、よって不使用時に吐出孔３０ｃから空気が流入することを確実に防止して、内容物を空気に触れさせることなく収容することができる。
【００６４】
また、図９に示すように、受皿本体４１を下方に押し下げ操作して開位置にまで下降させることにより、受皿本体４１の貫通孔４１ｂを開いて吐出孔３０ｃを外部に開放し、その後、さらに受皿本体４１を下方に向けて押し下げ操作することにより、ピストンガイド１１を作動させ、当該ピストンガイド１１、シリンダ１０及びピストン２１によるポンプ動作により、容器本体２の収容空間７に収容されている内容物を吐出孔３０ｃから受皿本体４１の受皿面４１ａに吐出させることができる。内容物を吐出孔３０ｃから吐出させているときには、吐出ヘッド３０の吐出孔３０ｃよりも下方側における側面と支持壁４５の内周面との間はシール部材３１によって液密に密封されるので、吐出ヘッド３０と支持壁４５との間から下方に向けた内容物の漏れ出しが防止される。
【００６５】
吐出孔３０ｃから内容物が吐出された後、受皿本体４１の押し下げ操作が解除されると、スプリング１０５の弾性力によって受皿本体４１が開位置から閉位置にまで上方に向けて移動し、受皿本体４１の貫通孔４１ｂの開口が吐出ヘッド３０により閉塞される。つまり、内容物の吐出操作が終了すると、貫通孔４１ｂが自動的に吐出ヘッド３０により閉塞され、吐出孔３０ｃは外部から遮断された状態とされる。これにより、内容物の吐出を終了した後においても、吐出孔３０ｃから空気が流入することを確実に防止して、内容物を空気に触れさせることなく収容することができる。
【００６６】
また、受皿本体４１の押し下げ操作が解除されると、図１〜図６に示す受皿付きポンプ容器１と同様に、付勢部材１５の弾性力によりピストンガイド１１が図８に示す初期位置に向けて上方に移動し、逆止弁２０が開かれて容器本体２の収容空間７に収容されている内容物が流出孔３ｄから加圧室１２に供給される。
【００６７】
本発明は、上記実施形態に限定されるものではなく、特許請求の範囲に従う範囲で種々の変更が可能である。
【００６８】
例えば、図１〜図６に示す実施形態においては、シール部材３１は、シール本体３１ａが断面矩形の環状に形成され、付勢部３１ｂが薄肉の円筒状となる形状に形成されているが、これに限らず、シール本体３１ａによって吐出孔３０ｃを閉塞することができるとともに付勢部３１ｂによってシール本体３１ａを上方に付勢することができる形状であれば、種々の形状とすることもできる。
【００６９】
また、図７〜図９に示す実施形態においても、シール部材３１は、吐出ヘッド３０の吐出孔３０ｃよりも下方側における側面に装着される環状筒部１０３と、環状筒部１０３から径方向外側に向けて突出して貫通孔４１ｂの内面に当接する環状リップ部１０４とを備えていれば、その形状は種々変更可能である。
【符号の説明】
【００７０】
１    受皿付きポンプ容器
２    容器本体
２ａ  底部
２ｂ  側壁部
２ｃ  通気孔
２ｄ  雄ねじ部
３    隔壁部材
３ａ  隔壁本体
３ｂ  装着筒部
３ｃ  段部
３ｄ  流出孔
４    環状シール
５    固定部材
５ａ  Ｕ字状部
５ｂ  雌ねじ部
６    中皿
６ａ  シール部
７    収容空間
１０    シリンダ
１１    ピストンガイド
１１ａ  加圧壁部
１１ｂ  側壁部
１１ｃ  流入孔
１２    加圧室
１３    流入室
１４    フランジ部材
１４ａ  固定部
１４ｂ  フランジ本体部
１５    付勢部材
１６    支持筒部
２０    逆止弁
２０ａ  基部
２０ｂ  連結片
２０ｃ  円板状の弁体
２１    ピストン
２２    規制部材
３０    吐出ヘッド
３０ａ  吐出壁
３０ｂ  天壁
３０ｃ  吐出孔
３０ｄ  下面
３１    シール部材
３１ａ  シール本体
３１ｂ  付勢部
４０    受皿部材
４１    受皿本体
４１ａ  受皿面
４１ｂ  貫通孔
４２    ガイド壁
４２ａ  係止突起
４３    副ガイド壁
４４    係合部
４５    支持壁
４６    押下げ部
４７    当接壁
５０    板ばね
１０１  受皿付きポンプ容器
１０２  段差面
１０３  環状筒部
１０４  環状リップ部
１０５  スプリング
Ｃ    キャップ
【図１】
0006468975.tif 000002
【図２】
0006468975.tif 000003
【図３】
0006468975.tif 000004
【図４】
0006468975.tif 000005
【図５】
0006468975.tif 000006
【図６】
0006468975.tif 000007
【図７】
0006468975.tif 000008
【図８】
0006468975.tif 000009
【図９】
0006468975.tif 000010